(57)【要約】【課題】側溝等に蓋されるグレーチングにおいて、簡易な構造でありながら、蚊やハエ等の害虫の出入りを阻止できるグレーチングの害虫移動防止網体を提供する。【解決手段】開口底部５１に載置される矩形状の外枠１２と、外枠１２の一辺１２ａと対向する対辺１２ｂとを連結するフレーム１４ａ及びフレーム１４ｂと、外枠１２とフレーム１４ａ及びフレーム１４ｂとで囲まれた領域に、外枠１２の一辺１２ａに、ヒンジ（図示省略。）を介して、図３（Ｂ）に示すように、開閉可能に蝶着されるとともに、フレーム１４ｂを非固定とした内枠１５ａと、対辺１２ｂに線部材１９で取り付けるとともに外枠１２を介して垂下させた錘１８とを備える。【選択図】図３
2015017450.tif 000002
【特許請求の範囲】
【請求項１】
開口部を有する側溝と、前記開口部の開口底部に載置され、前記開口部が蓋されるグレーチングと、前記グレーチングと前記開口底部との間に介在するように載置され、害虫の移動を阻止可能な網が設けられたグレーチングの害虫移動防止網体。
【請求項２】
前記害虫移動防止網体は、
前記開口底部に載置される矩形状の外枠と、
前記外枠の一辺（第１辺）と対向する対辺（第２辺）とを連結する第１フレーム及び第２フレームと、
前記外枠と前記第１フレーム及び前記第２フレームとで囲まれた領域に、前記外枠の第１辺に、ヒンジを介して、開閉可能に蝶着されるとともに、前記第２辺を非固定とした第１内枠と、
前記第２辺に線部材で取り付けるとともに前記外枠を介して垂下させた錘とを備え、
前記外枠の三辺と前記第１フレームとで囲まれた前記第２フレームを含まない領域と、前記外枠の三辺と前記第２フレームとで囲まれた前記第１フレームを含まない領域と、前記第１内枠とに、害虫の移動を阻止可能な網が張られていることを特徴とする請求項１に記載のグレーチングの害虫移動防止網体。
【請求項３】
前記第１フレーム及び前記第２フレーム、並びに／又は、前記第２辺には、複数の紐が取り付けられており、
前記複数の紐は、前記外枠が前記開口底部に載置された状態で、前記第１内枠が重力により開いた際にできる隙間が遮蔽されるように懸吊されることを特徴とする請求項２に記載のグレーチングの害虫移動防止網体。
【請求項４】
前記害虫移動防止網体は、
前記開口底部に載置される矩形状の外枠と、
前記外枠の内側に設けられた矩形状の第３フレームと、
前記外枠の４つのコーナーのそれぞれから前記第３フレームを支持するように連結する第４フレームと、
前記第３フレームの囲まれた領域に、前記第３フレームの一辺（第３辺）に、ヒンジを介して、開閉可能に蝶着されるとともに、前記第３辺に対向する対辺（第４辺）を非固定とした第２内枠と、
前記第４辺に線部材で取り付けるとともに前記第３フレームを介して垂下させた錘とを備え、
前記外枠に囲まれた前記第３フレームを含まない領域と、前記第２内枠とに、害虫の移動を阻止可能な網が張られていることを特徴とする請求項１に記載のグレーチングの害虫移動防止網体。
【請求項５】
前記第３フレームには、複数の紐が取り付けられており、
前記複数の紐は、前記外枠が前記開口底部に載置された状態で、前記第２内枠が重力により開いた際にできる隙間が遮蔽されるように懸吊されることを特徴とする請求項４に記載のグレーチングの害虫移動防止網体。
【発明の詳細な説明】
【技術分野】
【０００１】
本発明は、側溝等に蓋されるグレーチングにおいて、蚊やハエ等の害虫の出入りを阻止できるようにしたグレーチングの害虫移動防止網体に関する。
【背景技術】
【０００２】
一般に、側溝ブロック等に蓋されるグレーチングは、路面や地表の大量の雨水等を側溝や雨水升等に速やかに流し込むために、鋼材を格子状に組み合わせて溶接した構造がとられている。夏場で雨が少なく、側溝ブロック等に水が流れていないときに、側溝ブロック等に若干溜まった水に、蚊が卵を産み付け、ボウフラが発生し、蚊が大量に発生するという問題がある。
【０００３】
この対策として、特許文献１に雨水ますが開示されている。図６に示すように、この雨水ます１１１は、排水管１１８の途中にます本体１１３を設置し、このます本体１１３の上部に外スクリーン１１５を取り付け、外スクリーン１１５の下方に中スクリーン１１６を配置し、中スクリーン１１６が、ます本体１１３に掛止する枠体１３３と、この枠体１３３の底枠１４１に一辺１６７を固定し一辺１６７に対向する対辺１７２を非固定とした害虫移動防止網体１３４と、対辺１７２に線部材１３５で取り付けるとともに枠体１３３を介して垂下させた錘１３６とからなることを特徴としている。
【０００４】
この雨水ます１１１によれば、中スクリーン１１６が、枠体１３３の底枠１４１に害虫移動防止網体１３４を取り付けた構造なので、害虫移動防止網体１３４の網で蚊やハエ等の害虫の進入を阻止することができる。
【０００５】
なお、前述の雨水ます１１１と関連する技術として、特許文献２にカゴを有するグレーチングが開示されている。
【先行技術文献】
【特許文献】
【０００６】
【特許文献１】特開２００４−２８５６５２号
【特許文献２】実用新案登録第３０９６５９９号
【発明の概要】
【発明が解決しようとする課題】
【０００７】
しかしながら、従来の雨水ます１１１は、害虫移動防止網体１３４が、雨水ます１１１の中段に設けられており、それを取り付けるための構造が複雑で大がかりとなること、及び、公共事業に供される側溝用グレーチングに対しては、害虫移動防止網体１３４を中段に設けることは、法的な規制を受けて実施できないという問題があった。
【０００８】
また、雨水ます１１１の害虫移動防止網体１３４は、重力によって全体が傾斜する構造のため、用途が、四方が壁面で構成される雨水ますに限定される場合には、傾斜した際の隙間から害虫が移動する虞は少ないと考えられるが、向かい合う二方が壁面で他の二方が解放された側溝等に用いられる場合には、複数連接されたとしても、傾斜した際の隙間から害虫が移動する虞がある。
【０００９】
そこで、本発明が解決しようとする課題は、側溝等に蓋されるグレーチングにおいて、簡易な構造でありながら、蚊やハエ等の害虫の出入りを阻止できるグレーチングの害虫移動防止網体を提供することである。
【課題を解決するための手段】
【００１０】
この発明は、前記課題を解決するためになされたもので、請求項１に記載のグレーチングの害虫移動防止網体は、開口部を有する側溝と、前記開口部の開口底部に載置され、前記開口部が蓋されるグレーチングと、前記グレーチングと前記開口底部との間に介在するように載置され、害虫の移動を阻止可能な網が設けられていることを特徴としている。
【００１１】
請求項１に記載のグレーチングの害虫移動防止網体によれば、害虫の移動を阻止可能な網をグレーチングの下に敷くようにしたので、害虫移動防止網体の網で蚊やハエ等の害虫の進入を阻止することができるとともに、害虫移動防止網体をグレーチングとは別個独立した簡易な構造としたので、既製のグレーチングをそのまま利用することが可能であり、製造コストや購買コストを抑えることができる。
【００１２】
請求項２に記載のグレーチングの害虫移動防止網体は、請求項１において、前記害虫移動防止網体は、前記開口底部に載置される矩形状の外枠と、前記外枠の一辺（第１辺）と対向する対辺（第２辺）とを連結する第１フレーム及び第２フレームと、前記外枠と前記第１フレーム及び前記第２フレームとで囲まれた領域に、前記外枠の第１辺に、ヒンジを介して、開閉可能に蝶着されるとともに、前記第２辺を非固定とした第１内枠と、前記第２辺に線部材で取り付けるとともに前記外枠を介して垂下させた錘とを備え、前記外枠の三辺と前記第１フレームとで囲まれた前記第２フレームを含まない領域と、前記外枠の三辺と前記第２フレームとで囲まれた前記第１フレームを含まない領域と、前記第１内枠とに、害虫の移動を阻止可能な網が張られていることを特徴としている。
【００１３】
請求項２に記載のグレーチングの害虫移動防止網体によれば、請求項１の効果に加えて、第１内枠が重力によって開閉可能に蝶着さているので、グレーチングに落下した泥や落ち葉、雨水等を自重によって流下させることができ、網への負担が少なくて済むため、長期間使用することができる。
【００１４】
請求項３に記載のグレーチングの害虫移動防止網体は、請求項２において、前記第１フレーム及び前記第２フレーム、並びに／又は、前記第２辺には、複数の紐が取り付けられており、前記複数の紐は、前記外枠が前記開口底部に載置された状態で、前記第１内枠が重力により開いた際にできる隙間が遮蔽されるように懸吊されることを特徴としている。
【００１５】
請求項３に記載のグレーチングの害虫移動防止網体によれば、請求項２の効果に加えて、複数の紐が、第１内枠が開いた際の隙間を遮蔽するので、蚊やハエ等の害虫の出入りをより確実に阻止できる。
【００１６】
請求項４に記載のグレーチングの害虫移動防止網体は、請求項１において、前記害虫移動防止網体は、前記開口底部に載置される矩形状の外枠と、前記外枠の内側に設けられた矩形状の第３フレームと、前記外枠の４つのコーナーのそれぞれから前記第３フレームを支持するように連結する第４フレームと、前記第３フレームの囲まれた領域に、前記第３フレームの一辺（第３辺）に、ヒンジを介して、開閉可能に蝶着されるとともに、前記第３辺に対向する対辺（第４辺）を非固定とした第２内枠と、前記第４辺に線部材で取り付けるとともに前記第３フレームを介して垂下させた錘とを備え、前記外枠に囲まれた前記第３フレームを含まない領域と、前記第２内枠とに、害虫の移動を阻止可能な網が張られていることを特徴としている。
【００１７】
請求項４に記載のグレーチングの害虫移動防止網体によれば、請求項１の効果に加えて、第２内枠が重力によって開閉可能に蝶着さているので、グレーチングに落下した泥や落ち葉、雨水等を自重によって流下させることができ、網への負担が少なくて済むため、長期間使用することができる。
【００１８】
また、請求項４に記載のグレーチングの害虫移動防止網体によれば、グレーチングの下に敷いた際に、第３フレームを外枠よりも下になるように設けることで、第３フレームに向かって下るように傾斜が形成されるため、グレーチングに落下した泥や落ち葉、雨水等を第２内枠内に集めることができ、効率的に流下させることができる。
【００１９】
請求項５に記載のグレーチングの害虫移動防止網体は、請求項４において、前記第３フレームには、複数の紐が取り付けられており、前記複数の紐は、前記外枠が前記開口底部に載置された状態で、前記第２内枠が重力により開いた際にできる隙間が遮蔽されるように懸吊されることを特徴としている。
【００２０】
請求項５に記載のグレーチングの害虫移動防止網体によれば、請求項４の効果に加えて、複数の紐が、第２内枠が開いた際の隙間を遮蔽するので、蚊やハエ等の害虫の出入りをより確実に阻止できる。
【発明の効果】
【００２１】
本発明によれば、側溝等に蓋されるグレーチングにおいて、簡易な構造でありながら、蚊やハエ等の害虫の出入りを阻止できるグレーチングの害虫移動防止網体を提供することができる。
【図面の簡単な説明】
【００２２】
【図１】本発明に係る害虫移動防止網体の側溝への適用例であって、側溝やグレーチングを含めた害虫移動防止構造の説明に供する斜視図である。
【図２】本発明に係る害虫移動防止網体の側溝への適用例であって、側溝やグレーチングを含めた害虫移動防止構造の説明に供する断面図である。
【図３】本発明に係る害虫移動防止網体の一実施形態を示す図であって、（Ａ）平面図、（Ｂ）作用の説明に供する断面図である。
【図４】本発明に係る害虫移動防止網体の他の実施形態を示す図であって、（Ａ）平面図、（Ｂ）作用の説明に供する断面図である。
【図５】本発明に係る害虫移動防止網体の他の実施形態を示す図であって、紐の構成の説明に供する図である。
【図６】従来の雨水ますの説明図である。
【発明を実施するための最良の形態】
【００２３】
以下、本発明を適用した具体的な実施の形態について、図面を参照しながら詳細に説明する。本発明は、例えば、図３乃至図５に示すような構成の害虫移動防止網体１１に適用される。
【００２４】
１．害虫移動防止網体１１の構成
先ず、図１及び図２を参照して、グレーチング３１の害虫移動防止構造１（以下、害虫移動防止構造１という。）の構成の概略について説明する。
【００２５】
図１及び図２は、害虫移動防止網体１１の側溝５０への適用例であって、側溝５０やグレーチング３１を含めた害虫移動防止構造１を示している。図１又は図２に示すように、害虫移動防止構造１は、開口部６０を有する側溝５０と、開口部６０の開口底部５１に載置され、開口部６０が蓋されるグレーチング３１と、グレーチング３１と開口底部５１との間に介在するように載置され、害虫の移動を阻止可能な網１６，１７が設けられた害虫移動防止網体１１ａ，ｂとを備えている。
【００２６】
次に、図３乃至図５を参照して、グレーチング３１の害虫移動防止網体１１（以下、害虫移動防止網体１１という。）の構成の概略について説明する。
【００２７】
先ず、図３を参照して、本発明の一実施形態である害虫移動防止網体１１ａについて説明する。害虫移動防止網体１１ａは、図３（Ａ）に示すように、開口底部５１に載置される矩形状の外枠１２と、外枠１２の一辺１２ａと対向する対辺１２ｂとを連結するフレーム１４ａ及びフレーム１４ｂと、外枠１２とフレーム１４ａ及びフレーム１４ｂとで囲まれた領域に、外枠１２の一辺１２ａに、ヒンジ（図示省略。）を介して、図３（Ｂ）に示すように、開閉可能に蝶着されるとともに、フレーム１４ｂを非固定とした内枠１５ａと、対辺１２ｂに線部材１９で取り付けるとともに外枠１２を介して垂下させた錘１８とを主要部として備えている。
【００２８】
そして、害虫移動防止網体１１ａは、外枠１２の三辺とフレーム１４ａとで囲まれたフレーム１４ｂを含まない領域と、外枠１２の三辺とフレーム１４ｂとで囲まれたフレーム１４ａを含まない領域と、内枠１５ａとに、害虫の移動を阻止可能な網１６，１７が張られている。
【００２９】
また、フレーム１４ａ及びフレーム１４ｂ、並びに／又は、対辺１２ｂには、複数の紐２０が取り付けられている（図示省略。）。
【００３０】
外枠１２やフレーム１４ａ，フレーム１４ｂ，内枠１５ａは、例えばステンレスからなり、厚みが５ｍｍに加工されている。外枠１２や内枠１５ａに張られる網１６，１７の材質は任意であり、メッシュサイズは、例えば１．５ｍｍ以下に設定する。
【００３１】
網１６のメッシュサイズは、網１７のメッシュサイズと同等のものを用いることができるが、網１６のメッシュの方を網１７のメッシュサイズより小さくする方がグレーチングに落下した泥や落ち葉，雨水等を自重によって早く流下させるようにしてもよい。
【００３２】
また、網１６を緩く膨らませる（お椀の内壁上でなく、すり鉢状の内壁のごとく。）ことによって、グレーチングに落下した泥や落ち葉、雨水等が網１６の位置に留まらずに網１７に向かって流下し易いようにしてもよい。
【００３３】
さらに、網１６及び網１７の中央部領域に比べて外周部領域のメッシュサイズを大きくして外周部領域に落下した泥や落ち葉で目詰まりしにくくするようにしてもよい。
【００３４】
線部材１９は、例えば樹脂製の紐であり、樹脂製の紐の他に、布製の紐，ピアノ線，ワイヤロープ（極細）を挙げることができる。
【００３５】
害虫移動防止網体１１ａのフレーム１４ａ及びフレーム１４ｂと内枠１５ａとの隙間は、１．５ｍｍ以下とする。
【００３６】
紐２０は、例えば、ポリエステルからなり、太さが２ｍｍ、長さ５０ｍｍの紐状に加工されており、２ｍｍ間隔で配されている。紐２０は、外枠１２が開口底部５１に載置された状態で、内枠１５ａが重力により開いた際にできる隙間が遮蔽されるように懸吊されるようになっている。
【００３７】
次に、図４，図５を参照して、本発明の他の実施形態である害虫移動防止網体１１ｂについて説明する。害虫移動防止網体１１ｂは、図４（Ａ）に示すように、開口底部５１に載置される矩形状の外枠１２と、外枠１２の内側に設けられた矩形状のフレーム１３と、外枠１２の４つのコーナーのそれぞれからフレーム１３を支持するように連結するフレーム１４と、フレーム１３の囲まれた領域に、フレーム１３の一辺１５ｃに、ヒンジ（図示省略。）を介して、図４（Ｂ）に示すように、開閉可能に蝶着されるとともに、一辺１５ｃに対向する対辺１５ｄを非固定とした内枠１５ｂと、１５ｄに線部材１９で取り付けるとともにフレーム１３を介して垂下させた錘１８とを主要部として備えている。
【００３８】
そして、害虫移動防止網体１１ｂは、外枠１２に囲まれたフレーム１３を含まない領域と、内枠１５ｂとに、害虫の移動を阻止可能な網１６，１７が張られており、フレーム１３には、図５に示すように、複数の紐２０が取り付けられている。
【００３９】
外枠１２やフレーム１３，フレーム１４，内枠１５ｂは、例えばステンレスからなり、厚みが５ｍｍに加工されている。外枠１２や内枠１５ｂに張られる網１６，１７の材質は任意であり、メッシュサイズは、例えば１．５ｍｍ以下に設定する。
【００４０】
網１６のメッシュサイズは、網１７のメッシュサイズと同等のものを用いることができるが、網１６のメッシュの方を網１７のメッシュサイズより小さくする方がグレーチングに落下した泥や落ち葉，雨水等を自重によって早く流下させるようにしてもよい。
【００４１】
また、網１６を緩く膨らませる（お椀の内壁上でなく、すり鉢状の内壁のごとく。）ことによって、グレーチングに落下した泥や落ち葉、雨水等が網１６の位置に留まらずに網１７に向かって流下し易いようにしてもよい。
【００４２】
さらに、網１６及び網１７の中央部領域に比べて外周部領域のメッシュサイズを大きくして外周部領域に落下した泥や落ち葉で目詰まりしにくくするようにしてもよい。
【００４３】
フレーム１３の位置は、フレーム１４がフレーム１３に向かって下るように傾斜しており、外枠１２よりも例えば１０ｍｍ程度高さが低くなっている。
【００４４】
線部材１９は、例えば樹脂製の紐であり、樹脂製の紐の他に、布製の紐，ピアノ線，ワイヤロープ（極細）を挙げることができる。
【００４５】
害虫移動防止網体１１ｂのフレーム１３と内枠１５ｂとの隙間は、１．５ｍｍ以下とする。
【００４６】
紐２０は、例えば、ポリエステルからなり、太さが２ｍｍ、長さ５０ｍｍの紐状に加工されており、図５に示すように、２ｍｍ間隔で配されている。紐２０は、外枠１２が開口底部５１に載置された状態で、内枠１５ｂが重力により開いた際にできる隙間が遮蔽されるように懸吊されるようになっている。
【００４７】
２．害虫移動防止網体１１の動作
続いて、以上に述べた害虫移動防止網体１１ａ，ｂの動作を説明する。図１又は図２に示すように、ユーザは、側溝５０の開口部６０の開口底部５１に害虫移動防止網体１１ａ，ｂを載置する。その後、グレーチング３１を側溝側面５２に合わせて挿入し、害虫移動防止網体１１ａ，ｂがグレーチング３１と開口底部５１との間に介在するように設置する。
【００４８】
通常の雨量の状態の雨水がグレーチング３１に流入した場合には、害虫移動防止網体１１の網１６，１７上の泥や落ち葉等の塵の層を通して、雨水を流下させて排水することができる。
【００４９】
図３（Ｂ），図４（Ｂ）は本発明に係る害虫移動防止網体１１ａ，ｂの作用図である。図３（Ｂ）及び図４（Ｂ）において、グレーチング３１内に泥や落ち葉等の塵が落ちると、それらが害虫移動防止網体１１ａ，ｂ上に次第に溜まり始める。そこに、雨が降り、雨水が一気に大量に流入した場合には、泥や塵で雨水は網１６，１７上に滞留する。その後、溜まった雨水の重さで内枠１５ａ，ｂの対辺側が下がると同時に、錘１８を引き上げる。
【００５０】
害虫移動防止網体１１ａ，ｂ上に溜まった雨水の重さで害虫移動防止網体１１ａ，ｂの対辺側が下がり、雨水とともに泥や塵が側溝５０の底に落ち、雨水を流下させる。このとき錘１８が外枠１２又はフレーム１３に当たり、害虫移動防止網体１１ａ，ｂの勾配を規制する。
【００５１】
このとき、複数取り付けられた紐２０が、外枠１２が開口底部５１に載置された状態で、内枠１５ａ，ｂが重力により開いた際にできる隙間を遮蔽する。
【００５２】
また、錘１８は害虫移動防止網体１１ａ．ｂ上に溜まった雨水がなくなると、自重で下がると同時に害虫移動防止網体１１ａ，ｂの対辺側を引き上げて、図１又は図２に示す原点状態に戻す。
【００５３】
以上のように、害虫移動防止網体１１ａ，ｂによれば、害虫の移動を阻止可能な網１６，１７をグレーチングの下に敷くようにしたので、害虫移動防止網体１１ａ，ｂの網１６，１７で蚊やハエ等の害虫の進入を阻止することができるとともに、害虫移動防止網体１１ａ．ｂをグレーチングとは別個独立した簡易な構造としたので、既製のグレーチングをそのまま利用することが可能であり、製造コストや購買コストを抑えることができる。
【００５４】
また、害虫移動防止網体１１ａ，ｂによれば、内枠１５ａ，ｂが重力によって開閉可能に蝶着さているので、グレーチング３１に落下した泥や落ち葉、雨水等を自重によって流下させることができ、網１６，１７への負担が少なくて済むため、長期間使用することができる。特に、害虫移動防止網体１１ｂにおいては、グレーチング３１の下に敷いた際に、フレーム１３を外枠１２よりも下になるように設けることで、フレーム１３に向かって下る傾斜が形成されるため、グレーチング３１に落下した泥や落ち葉、雨水等を内枠１５ｂ内に集めることができ、効率的に流下させることができる。
【００５５】
さらに、害虫移動防止網体１１ａ，ｂによれば、複数の紐２０が、内枠１５ａ，ｂが開いた際の隙間を遮蔽するので、蚊やハエ等の害虫の出入りをより確実に阻止できる。
【００５６】
なお、本発明は前述した実施の形態のみに限定されるものではなく、本発明の要旨を逸脱しない範囲において種々の変更が可能であることは勿論である。
【符号の説明】
【００５７】
１      害虫移動防止構造
１１    害虫移動防止網体
１１ａ，ｂ  害虫移動防止網体
１２    外枠
１２ａ，１５ｃ  一辺
１２ｂ，１５ｄ  対辺
１３，１４  フレーム
１４ａ，ｂ  フレーム
１５ａ，ｂ  内枠
１６，１７  網
１８    錘
１９    線部材
２０    紐
３１    グレーチング
５０    側溝
５１    開口底部
５２    側溝側面
６０    開口部
１１１  雨水ます
１１３  本体
１１５  外スクリーン
１１６  中スクリーン
１１８  排水管
１３３  枠体
１３４  害虫移動防止網体
１３５  線部材
１３６  錘
１４１  底枠
１６７  一辺
１７２  対辺
【図１】
2015017450.tif 000003
【図２】
2015017450.tif 000004
【図３】
2015017450.tif 000005
【図４】
2015017450.tif 000006
【図５】
2015017450.tif 000007
【図６】
2015017450.tif 000008